【手続補正書】
【提出日】平成18年5月2日(2006.5.2)
【手続補正１】
【補正対象書類名】明細書
【補正対象項目名】全文
【補正方法】変更
【補正の内容】
【書類名】      明細書
【発明の名称】  カメラ用フォーカルプレーンシャッタ
【特許請求の範囲】
【請求項１】 複数の分割羽根により構成される開放羽根群及び閉鎖羽根群を順次作動して露出を行うカメラ用フォーカルプレーンシャッタにおいて、前記開放羽根群及び前記閉鎖羽根群の作動を制御する制御手段と、前記閉鎖羽根群を不作動位置に保持する保持手段とを備え、カメラの裏蓋開放により、前記制御手段は前記開放羽根群を作動させ、前記保持手段は前記閉鎖羽根群を不作動位置に保持し、カメラの裏蓋閉鎖により前記保持手段は前記閉鎖羽根群の保持を解除し、シャッタ巻上前においては、前記裏蓋を開放不能にすることを特徴とするカメラ用フォーカルプレーンシャッタ。
【請求項２】  複数の分割羽根により構成される開放羽根群及び閉鎖羽根群を順次作動して露出を行うカメラ用フォーカルプレーンシャッタにおいて、撮影レンズを取り外した信号とミラーを押し上げた信号とを検知し、前記開放羽根群及び前記閉鎖羽根群の作動を制御する制御手段と、前記閉鎖羽根群を不作動位置に保持する保持手段とを備え、前記撮影レンズを取り外した信号と前記ミラーを押し上げた信号との検知により、前記制御手段は前記開放羽根群を作動させ、前記保持手段は前記閉鎖羽根群を不作動位置に保持することを特徴とするカメラ用フォーカルプレーンシャッタ。
【発明の詳細な説明】
【０００１】
【発明の技術分野】
本発明は、カメラ用フォーカルプレーンシャッタに関する。
【０００２】
【従来の技術】
カメラ用フォーカルプレーンシャッタは、一般的に、シャッタ作動前であれば開放羽根がフィルム面を覆うようになっており、シャッタ作動後であれば閉鎖羽根がフィルム面を覆っている。いずれの場合にも、カメラの裏蓋を開ければ、図７に示す如くどちらかのシャッタ羽根が現われる構成になっている。
【０００３】
【発明が解決しようとする課題】
フォーカルプレーンシャッタはフィルム面の直前に配置されているため、カメラの裏蓋を開き撮影済フィルムを取り出す際や、未使用フィルムを装填する際等にシャッタ羽根に直接手を触れて傷をつけたり、変形させたりすることがある。場合によっては興味本位にシャッタ羽根を押し込んで作動不能にしてしまうこともある。本発明は、このような異常操作を生じさせないようにカメラの裏蓋を開いた場合やミラーを押し上げた場合には、シャッタ羽根を開口部から退避させ、シャッタ羽根に異常な変形等が生じないようにするものである。
【０００４】
【課題を解決するための手段】
複数の分割羽根により構成される開放羽根群及び閉鎖羽根群を順次作動して露出を行うカメラ用フォーカルプレーンシャッタにおいて、開放羽根群及び閉鎖羽根群の作動を制御する制御手段と、閉鎖羽根群を不作動位置に保持する保持手段とを備え、カメラの裏蓋開放により、制御手段は開放羽根群を作動させ、保持手段は閉鎖羽根群を不作動位置に保持し、カメラの裏蓋閉鎖により保持手段は閉鎖羽根群の保持を解除し、シャッタ巻上前においては、裏蓋を開放不能に構成している。また、複数の分割羽根により構成される開放羽根群及び閉鎖羽根群を順次作動して露出を行うカメラ用フォーカルプレーンシャッタにおいて、撮影レンズを取り外した信号とミラーを押し上げた信号とを検知し、前記開放羽根群及び前記閉鎖羽根群の作動を制御する制御手段と、前記閉鎖羽根群を不作動位置に保持する保持手段とを備え、前記撮影レンズを取り外した信号と前記ミラーを押し上げた信号との検知により、前記制御手段は前記開放羽根群を作動させ、前記保持手段は前記閉鎖羽根群を不作動位置に保持するよう構成してもよい。
【０００５】
【発明の実施の形態】
裏蓋を開くとカメラ本体に設けられたスイッチが閉成され、電磁石に通電がなされ、開放羽根群及び閉鎖羽根群の動きを拘束する。同時に保持レバーが回動自在となり、閉鎖羽根を保持し作動を拘束する。その後、電磁石の通電を切り、開放羽根群をシャッタ開口より退避させる。閉鎖羽根群は保持レバーにより保持されているため作動されない。このため、裏蓋を開くとシャッタ開口から開放羽根群も閉鎖羽根群も退避した状態となる。
【０００６】
【実施例】
図１、２は本発明に係る装置の一例をシャッタセットの前後の状態をもって示したものである。セットレバー１はバネ１ｃにより右旋方向に付勢されている。図６に示すモータＭにより作動する機構に連動したチャージ部材２が駆動することによりセットレバー１は軸１ｄを支点として左旋させられ、開放駆動レバー３及び閉鎖駆動レバー４をセット位置（初期状態）に駆動する。
【０００７】
セットレバー１には、各駆動レバー３、４上のローラ３ａ、４ａを押圧する突起１ａ、１ｂが形成されており、さらに、セット位置において後述するセットレバー爪７により拘止される係止片１ｅが突出形成されている。開放駆動レバー３はバネ３ｄによりピン３ｅを介して図４に示す開放羽根群Ａをシャッタ開口９から退避させる左旋方向に付勢されており、セットレバー１に押上げられて軸３ｃを中心としてセット位置まで右旋した際は、オーバーめのセットによりバネ５ｂに抗して電磁石５を押下げつつその鉄芯５ａに鉄片３ｂを当接する。また、閉鎖駆動レバー４はバネ４ｄによりピン４ｅを介して図４に示す閉鎖羽根群Ｂを開口９を覆う左旋方向に付勢され、セットレバー１に押下げられて軸４ｃを中心としてセット位置まで右旋した際は、オーバーめのセットによりバネ６ｂに抗して電磁石６を押下げつつその鉄芯６ａに鉄片４ｂを当接するように構成されている。鉄心３ｂ、４ｂをオーバーめにセットするのはシャッタ側に設けられるセットレバー１とカメラ側に設けられるチャージ部材２との間に組み立て誤差が生じるので誤差分を見込んでセットするためである。
【０００８】
セットレバー爪７は、セットレバー１上の係止片１ｅを係止するもので、オーバーめのセットにより各電磁石５、６がそれぞれストッパ兼用のセットレバー軸１ｄと他方のストッパ８との間に若干の間隙δができる程度に両駆動レバー３、４を押圧した位置でセットレバー１を拘止する。電磁石５、６が励磁した際は、図示しないミラーの跳ね上がりに連動して軸７ａを支点として右旋し、セットレバー１の拘止を解いてセットレバー１を復帰させるように構成されている。
【０００９】
保持レバー１０は、軸１０ａを支点として、ばね１０ｂにより左旋方向に付勢されており、曲げ部１０ｃ及びカメラの裏蓋側に突出するピン１０ｄを備えている。裏蓋Ｃを閉じた時が図５に示す状態となり、裏蓋Ｃを開くと、ばね１０ｂにより保持レバー１０が左旋し、曲げ部１０ｃが、閉鎖駆動レバー４の鉤部４ｆに係合する。図４において、開放羽根群Ａは、公知の構成であり、シャッタ開口９を覆っており、開放駆動レバー３のピン３ｅにより作動される。閉鎖羽根群Ｂも同様に公知の構成であり、閉鎖駆動レバー４のピン４ｅにより作動される。図６に示すように、カメラ本体には裏蓋Ｃが開くと閉成されるスイッチＳｃが設けられており、スイッチＳｃはカメラ本体に設けられている電気回路Ｅに接続されている。電気回路Ｅは電磁石５，６への通電を行うことができ、電気回路Ｅ内のＣＰＵ１１により電磁石５，６への通電を制御する。
【００１０】
以下、通常のシャッタ作動について説明する。カメラのレリーズ操作に応じて、図６に示すカメラ側の電気回路ＥのメインスイッチＳが閉成される。図１が初期状態で、この状態からＣＰＵ１１が電磁石５、６を励磁させると、各駆動レバー３、４の鉄片３ｂ、４ｂは鉄芯５ａ、６ａ上に吸着され、同時に、ミラーの跳ね上がりに連動した図示しない部材がセットレバー爪７を右旋させる。このため、セットレバー１は各駆動レバー３、４の押圧を解いたうえで元の位置に復帰する。そして、開放駆動レバー３と閉鎖駆動レバー４は、所望のタイミングをおいた後の電磁石５、６の消磁により開放羽根群Ａ及び閉鎖羽根群Ｂを順次作動させて所望の露出動作を行う。
【００１１】
次に、カメラの裏蓋Ｃを開いた場合の作動について説明する。図５においてカメラの裏蓋Ｃを開くと、カメラ本体Ｄから裏蓋Ｃは、左側に移動する。これによって、裏蓋Ｃで押込まれていたピンＰが図示しないばねにより左側に戻され、先端のテーパー部で下方に押下げていたピン１０ｄを釈放する。ピン１０ｄは図１の保持レバー１０に設けられたものであるので、釈放されることにより、保持レバー１０は図１の状態から、ばね１０ｂにより左旋する。この左旋によって、曲げ部１０ｃが閉鎖駆動レバー４の鉤部４ｆを係止するようになる。この結果、保持レバー１０は閉鎖羽根群を不作動状態に保持する。
【００１２】
この作動と並行して裏蓋Ｃが開くと図６に示すカメラ本体に設けられているスイッチＳｃが閉成され、ＣＰＵ１１により電磁石５、６が通電される。さらにカメラのレリーズ作動が、スイッチＳの閉成の場合と同様に行われる。つまり前述したように図１の状態からセットレバー爪７が作動されてセットレバー１が右旋する。その後電磁石５への通電が遮断されると開放駆動レバー３が左旋して開放羽根群Ａをシャッタ開口から退避させる。裏蓋Ｃを閉じるまで保持レバー１０が駆動レバー４を保持しているので開口内に開放及び閉鎖の両シャッタ羽根が現れずカメラ使用者が羽根に触れることがない。即ち図３に示すように保持レバー１０が、閉鎖駆動レバー４を保持しており、電磁石６が消磁しても、閉鎖駆動レバー４は作動できない。裏蓋Ｃを閉じたとき、ピンＰのテーパー部によってピン１０ｄが図面の下方側に押されて、保持レバー１０が右旋することにより、曲げ部１０ｃが鉤部４ｆを釈放してはじめて閉鎖羽根群Ｂを作動させる。図２はこの状態を示している。
【００１３】
次に、保持レバー１０を設ける必要がないものについて説明する。カメラの裏蓋Ｃが開かれると、図６に示すカメラ本体に設けられているスイッチＳｃが閉成され、ＣＰＵ１１が電磁石５、６に通電を行う。さらにシャッタのレリーズ作動がスイッチＳの閉成の場合と同様に行われる。この場合に図１の状態からセットレバー爪７が作動されてセットレバー１が右旋する。その後電磁石５への通電が遮断されると開放駆動レバー３が左旋して開放羽根群Ａをシャッタ開口から退避させる。しかし、電磁石６への通電は遮断されず裏蓋Ｃを閉じるまでその状態を維持する。従って開放及び閉鎖の両シャッタ羽根は開口内に現れず、フィルムの交換が完了して裏蓋Ｃを閉じるまでシャッタ羽根にカメラ使用者が触れることがない。このため、シャッタ羽根に変形を生じさせる恐れがなく、シャッタの異常作動を生じることがない。
【００１４】
裏蓋Ｃを閉じるまで電磁石６に通電を行う必要があるが、保持レバー１０を設ける必要がない利点がある。なお、シャッタの巻上前に裏蓋Ｃが開かれた場合は、図６に示すスイッチＳｃが閉成されたときＣＰＵ１１が巻上前であることを確認した上でカメラに内蔵するモータＭを作動し、シャッタの巻上作動を行った後に、前述の作動を行う。このような作動は瞬時に行われるため、シャッタ羽根にカメラ使用者が直接触れることはできない。また、シャッタが巻上前のときには、前述の実施例の如くシャッタ巻上後に前述の作動を行うように構成されている。なお、シャッタが巻上前のときは、前述のように巻上げを完了させる代わりに裏蓋開放を阻止する部材を設け、シャッタ巻上に連動して、その阻止を解除するように構成して巻上前には裏蓋を開けられないようにしてもシャッタ羽根に触れる現象を回避できる。
【００１５】
前記第１の実施例において保持レバー１０は、裏蓋Ｃを閉じたときにピンＰにより、不作用位置に保持されているが、他の方法によって不作用位置に保持するようにすることもできる。例えば、保持レバー１０の近傍に永久磁石を設け、永久磁石に逆磁界をかけることができる位置に電磁石装置を設ける。このような構成にすると、保持レバー１０を閉鎖駆動レバー４の鉤部４ｆと曲げ部１０ｃが係止しない位置で永久磁石により吸着保持することにより不作動位置に保持することができ、そして、裏蓋Ｃを開いたとき、スイッチＳｃが閉成されることにより、永久磁石の吸着保持力を逆磁界により消勢すべく電磁石装置に通電し保持レバー１０の保持を解き、保持レバー１０を作用させるようにする。
【００１６】
なお、上記の実施例においても開放駆動レバー３及び閉鎖駆動レバー４は電磁石５、６により制御されているがこれに限定されない。つまり、セットレバー爪７が作動されることによってセットレバー１が作動開始し、開放駆動レバー３及び閉鎖駆動レバー４の機械的係止が順次作動するようなフォーカルプレーンシャッタであっても本発明を適用することができる。
【００１７】
カメラの裏蓋を開いたときに作動するスイッチ等の信号に応答して上記シャッタ作動を行うよう構成したものであるが、一眼レフカメラの前面側からミラーを押上げた場合にも、同様の問題が生じる。従って、撮影レンズを取り外した上で、ミラーを押し上げた場合にもフォーカルプレーンシャッタを作動させ、シャッタ羽根が開口から逃げているバルブ状態にする必要がある。この場合には、撮影レンズを取り外した信号と、ミラーを押上げた信号とをＣＰＵ１１に入力して、フォーカルプレーンシャッタを実施例と同様に開放したバルブ状態にすればよい。本発明は上記実施例に限定されるものでなく、同一思想の範囲で適宜変形実施が可能である。
【００１８】
【発明の効果】
シャッタ羽根がシャッタ開口から退避するように構成したため、カメラ使用者がフィルム装填等においてシャッタ羽根に触れることがなく、シャッタ羽根の変形、キズ等の損障がなく常に正確なシャッタ作動を確保することができる。
【図面の簡単な説明】
【図１】
セット状態の平面図である。
【図２】
シャッタ作動後の平面図である。
【図３】
作動中の平面図である。
【図４】
本発明に使用する従来のフォーカルプレーンシャツタ羽根のセット状態の平面図である。
【図５】
カメラの部分断面図である。
【図６】
本発明に使用するカメラの電気回路図である。
【図７】
従来のカメラの裏蓋を開いた状態のフォーカルプレーンシャッタの平面図である。
【符号の説明】
６      電磁石（保持手段）
１０    保持手段
１１    制御手段（ＣＰＵ）
Ａ      開放羽根群
Ｂ      閉鎖羽根群
Ｃ      裏蓋